(57)【要約】【課題】コントローラ等の電気制御機器を内蔵した給湯ヘッダであっても、容易にかつ確実に設置し得る給湯ヘッダ、給湯ヘッダ用施工部材、及び、給湯ヘッダシステムを提供する。【解決手段】基礎打ち段階で床下等に固定される施工部材１７に対し７つの接続部材２５１，２３１，…を先端開口が同じ向きにかつ互いに平行に取り付け、各接続部材に床下に敷設した湯供給用配管２５、水供給用配管２３、給湯用配管７１〜１０１、給水用配管１１１を結合させる。屋根設置後の雨のかからない段階で設置される給湯ヘッダ３の側壁４１１から全ての接続口３２１，３１１，…を接続部材と相対向して同じ配置で突出させる。各接続口を温水プラグにより、各接続部材を自動閉止機能付き温水コンセントにより構成し、接続口を接続部材に押し込んで内嵌させれば係止されて連通接続されるようにする。【選択図】　　　図３
2004061020.tif 000002
【特許請求の範囲】
【請求項１】
湯の供給を受ける入湯用接続口と、水の供給を受ける入水用接続口と、これら入湯用接続口からの入湯及び入水用接続口からの入水をそれぞれ個別に受けて混合する２以上の混合弁と、各混合弁により混合された後の湯を出湯させる２以上の出湯用接続口とを備えた給湯ヘッダであって、
上記入湯用接続口と、入水用接続口と、２以上の出湯用接続口とを含めた全ての接続口が互いに平行にかつ各先端を同一方向に向けて配設されている
ことを特徴とする給湯ヘッダ。
【請求項２】
請求項１に記載の給湯ヘッダであって、
上記全ての接続口が各先端の配向方向に直交する方向に対し一直線上に並んで配設されている、給湯ヘッダ。
【請求項３】
請求項１又は請求項２に記載の給湯ヘッダを設置するための給湯ヘッダ用施工部材であって、
上記入湯用接続口に湯を供給するための湯供給用配管の下流端と、上記入水用接続口に水を供給するための水供給用配管の下流端と、上記各出湯用接続口からの湯を対応する給湯先に給湯するための２以上の給湯用配管の各上流端とに対しそれぞれ結合される接続部材の全てが互いに平行にかつ各先端を同一方向に向けて配設されている
ことを特徴とする給湯ヘッダ用施工部材。
【請求項４】
請求項３に記載の給湯ヘッダ用施工部材であって、
上記接続部材の内の少なくとも一部は他の接続部材に対し相対変位可能に配設されている、給湯ヘッダ用施工部材。
【請求項５】
入湯及び入水をそれぞれ個別に受けて混合する２以上の混合弁を内蔵した給湯ヘッダと、この給湯ヘッダに対し各種配管を接続するための給湯ヘッダ用施工部材とを備えた給湯ヘッダシステムであって、
上記給湯ヘッダには、湯の供給を受ける入湯用接続口と、水の供給を受ける入水用接続口と、上記各混合弁により混合された後の湯を出湯させる２以上の出湯用接続口とを含む全ての接続口が互いに平行にかつ各先端を同一方向に向けて配設され、
上記給湯ヘッダ用施工部材には、上記入湯用接続口に湯を供給するための湯供給用配管の下流端と、上記入水用接続口に水を供給するための水供給用配管の下流端と、上記各出湯用接続口からの湯を対応する給湯先に給湯するための２以上の給湯用配管の各上流端とに対しそれぞれ結合される接続部材の全てが互いに平行にかつ各先端を同一方向に向けて配設されており、
少なくとも上記入湯用及び入水用の両接続口がそれぞれ温水プラグにより構成される一方、上記湯供給用配管及び水供給用配管の両下流端にそれぞれ結合される接続部材が上記温水プラグの内嵌によって通水可能となる温水コンセントにより構成されている
ことを特徴とする給湯ヘッダシステム。
【発明の詳細な説明】
【０００１】
【発明の属する技術分野】
本発明は、住宅等の床下にヘッダ工法により設置される給湯ヘッダ、この給湯ヘッダを設置するための給湯ヘッダ用施工部材、両者を含めた給湯ヘッダシステムに関する。
【０００２】
【従来の技術】
従来、給湯ヘッダとして、例えば図１に示すような給湯システムにおいて用いられるものが知られている。このものでは、熱源機２において給水管２１からの入水を加熱しこの湯を給湯ヘッダ３に入湯させる一方、上記給水管２１から分岐した入水用供給配管２５により上記給湯ヘッダ３に入水させ、給湯ヘッダ３の各混合弁３３〜３６で水と湯とを対応する給湯先７〜１０で要求される設定給湯温度に基づいて所定の混合比で混合させることにより、各給湯先毎に互いに異なる温度での給湯を可能としている。上記の各混合弁３３〜３６での混合比を変更制御するためのコントローラは、図１に例示したように給湯ヘッダ３に内蔵される場合（図１の符号６参照）と、給湯ヘッダとは別に他の箇所に独立して設置される場合とに分かれる。
【０００３】
そして、上記コントローラが独立設置される場合の給湯ヘッダであれば、例えば図５に一般住宅の場合を示すように給湯ヘッダ３ａは熱源機の設置予定位置の下方の床下空間Ｃに設置され、この給湯ヘッダ３ａから浴槽や各部屋の給湯カランへ延びる給湯用配管等の各種配管２５，２３，７１〜１０１が床下空間に敷設されることになる。より詳細には、基礎コンクリートＢ等を打設する途中又は完了後であって床張りを行う前の段階、つまり床下空間Ｃがオープンスペースになっている基礎打ち段階において上記給湯ヘッダ３ａを設置し、この設置した給湯ヘッダ３ａの一側に入湯用及び入水用の供給用配管２５，２３の下流端を接続し他側に多数の給湯用配管７１〜１０１の上流端を接続し、併せて、各給湯用配管７〜１０の下流端を浴槽等の給湯先が設置される予定位置の床下まで敷設する作業が予め行われる。そして、柱Ｐ、梁Ｈを建て込んで棟木Ｍの上に屋根Ｒを設置した後の段階で壁等に対し上記の給湯用配管７１〜１０１等が固定され、さらに浴槽、洗面台、台所及び上記熱源機２等の住宅設備機器が設置される段階になってそれら住宅設備機器と上記の供給用配管２３，２５や給湯用配管７〜１０１との接続が行われることになる。
【０００４】
【発明が解決しようとする課題】
ところが、図１に例示した場合のように給湯ヘッダ３がコントローラ６等の電気制御機器を内蔵したものである場合には、その給湯ヘッダ３を上記の基礎打ち段階に設置することは上記電気制御機器の機能保全上の観点から不可能となり、少なくとも屋根を設置した後の段階でないと給湯ヘッダ３を設置し得ないことになる。しかも、その設置作業は極めて困難なものとなる。
【０００５】
すなわち、基礎打ち段階では屋根が設置されていないため、この段階で床下に給湯ヘッダ３をもしも設置すると、その給湯ヘッダ３が雨に濡れるおそれがあり、上記コントローラ６等の電気制御機器の機能不全を招くおそれがある。このため、厳重な雨対策の保証がない限りは製品の品質保証上の観点からも基礎打ち段階での設置を許容することは不能となる。
【０００６】
一方、屋根を設置した後の段階で上記給湯ヘッダ３を設置するようにした場合には、既に床張りが終了して床下空間Ｃが閉鎖されているため、たとえ設置場所だけの床を剥がしたとしても狭い床下空間Ｃにおいて入水用・入湯用の両供給用配管２３，２５や多数の給湯用配管７１〜１０１との接続作業は極めて困難なものとなる。
【０００７】
本発明は、このような事情に鑑みてなされたものであり、その目的とするところは、コントローラ等の電気制御機器を内蔵した給湯ヘッダであっても、容易にかつ確実に設置し得る給湯ヘッダ、給湯ヘッダ用施工部材、及び、給湯ヘッダシステムを提供することにある。
【０００８】
【課題を解決するための手段】
上記目的を達成するために、請求項１に係る発明では、湯の供給を受ける入湯用接続口と、水の供給を受ける入水用接続口と、これら入湯用接続口からの入湯及び入水用接続口からの入水をそれぞれ個別に受けて混合する２以上の混合弁と、各混合弁により混合された後の湯を出湯させる２以上の出湯用接続口とを備えた給湯ヘッダを対象として、上記入湯用接続口と、入水用接続口と、２以上の出湯用接続口とを含む全ての接続口を互いに平行にかつ各先端が同一方向に向くように配設した。つまり給湯ヘッダの同じ部位（例えばハウジングの一側面）に対し上記の全ての接続口を互いに平行にかつ各先端が同じ向きになるようにまとめて配設したものである。
【０００９】
この請求項１の場合、従来は入湯用及び入水用の供給配管が接続される接続口と、給湯用配管が接続される接続口とが混合弁に対し入側と出側とに相当するため本来は給湯ヘッダの互いに異なる部位に配設されていたのに対し、上記発明では全ての接続口が互いに平行にかつ各先端が同一方向に向くように配設されて給湯ヘッダの同じ部位に位置することになる。このため、給湯ヘッダに接続される各種配管を住宅の基礎打ち段階に予め敷設しておき、それら各種配管の端部を上記各接続口に対応させて揃えておけば、屋根の設置後に給湯ヘッダを設置する場合であっても、同じ方向に向いたそれぞれの接続口に対し上記供給配管や給湯用配管等の各種配管を相対向させて同じ向きに差し込む等の容易な作業で接続作業を行うことが可能になる。このため、たとえ狭い空間であっても、予め敷設された各種配管に対し給湯ヘッダを確実に後付けすることが可能になる。また、上記の各種配管の端部を給湯ヘッダの各接続口に相対向する位置に設置しておけば、１回の押し込み又は差し込み作業で全ての接続口に対する接続作業を完了させることも可能となる。
【００１０】
上記請求項１の給湯ヘッダにおいては、さらに、上記の全ての接続口を各先端の配向方向に直交する方向に対し一直線上に並んで配設するようにしてもよい（請求項２）。このようにすることにより、全ての接続口が横並びに位置付けられるため、床下空間のように狭い空間においても、より一層容易に接続作業を行い得る。
【００１１】
請求項３に係る発明では、上記請求項１又は請求項２に記載の給湯ヘッダを設置するための給湯ヘッダ用施工部材を対象として、上記入湯用接続口に湯を供給するための湯供給用配管の下流端と、上記入水用接続口に水を供給するための水供給用配管の下流端と、上記各出湯用接続口からの湯を対応する給湯先に給湯するための２以上の給湯用配管の各上流端とに対しそれぞれ結合される接続部材の全てを互いに平行にかつ各先端が同一方向に向くように配設した。
【００１２】
この請求項３の場合、上記給湯ヘッダの各接続口に各種配管を接続するのに適した施工部材が提供される。すなわち、施工部材には湯供給用、水供給用、給湯用の各種配管の接続端を構成する接続部材の全てが互いに平行にかつ各先端を同一方向に向けて配設されている、つまり、上記請求項１又は請求項２の給湯ヘッダの全ての接続口と同様配置に設けられているのである。このため、全ての接続部材が配設された施工部材を住宅等の基礎打ち段階に予め設置しておけば、屋根設置後の段階において上記給湯ヘッダを後付けする場合であっても、給湯ヘッダの各接続口を施工部材の各接続部材に相対向させて両者を接続するだけという容易な作業で給湯ヘッダを設置することが可能になる。
【００１３】
また、この請求項３の給湯ヘッダ用施工部材においては、上記接続部材の内の少なくとも一部を他の接続部材に対し相対変位可能に配設することが好ましい（請求項４）。上記施工部材に対する上記各接続部材の配設は本来は給湯ヘッダ側の各接続口と同様配列になるように行うものの、その配設位置に若干のずれ等が生じていても接続部材側を相対変位可能にすることで接続口との位置調整が可能となり、より容易に確実な接続及び給湯ヘッダの設置を実現し得る。
【００１４】
請求項５に係る発明では、入湯及び入水をそれぞれ個別に受けて混合する２以上の混合弁を内蔵した給湯ヘッダと、この給湯ヘッダに対し各種配管を接続するための給湯ヘッダ用施工部材とを備えた給湯ヘッダシステムを対象として次の特定事項を備えることとした。すなわち、上記給湯ヘッダに対し、湯の供給を受ける入湯用接続口と、水の供給を受ける入水用接続口と、上記各混合弁により混合された後の湯を出湯させる２以上の出湯用接続口とを含む全ての接続口を互いに平行にかつ各先端を同一方向に向けて配設する一方、上記給湯ヘッダ用施工部材に対し、上記入湯用接続口に湯を供給するための湯供給用配管の下流端と、上記入水用接続口に水を供給するための水供給用配管の下流端と、上記各出湯用接続口からの湯を対応する給湯先に給湯するための２以上の給湯用配管の各上流端とにそれぞれ結合される接続部材の全てを互いに平行にかつ各先端を同一方向に向けて配設する。そして、少なくとも上記入湯用及び入水用の両接続口をそれぞれ温水プラグにより構成する一方、上記湯供給用配管及び水供給用配管の両下流端にそれぞれ結合される接続部材を上記温水プラグの内嵌によって通水可能となる温水コンセントにより構成することとした。
【００１５】
この請求項５の場合、住宅等の基礎打ち段階において施工部材を設置したとしても、湯供給用及び水供給用の両配管の下流端に温水コンセントが結合され、この温水コンセントは温水プラグが内嵌されない状態では自動的に閉止されているため、上記湯供給用及び水供給用の両配管の上流側が例えば水道管等の上水道に接続されていたとしても特別の対策を施さなくても後の給湯ヘッダ側の温水プラグとの接続まで閉栓状態に保持し得る。しかも、給湯ヘッダ側の接続口である温水プラグを上記温水コンセントに内嵌させるだけという極めて容易な作業により接続作業が完了し通水可能にし得る。一方、全ての接続口を温水プラグにより構成し、全ての接続部材を温水コンセントにより構成することにより、給湯ヘッダの各接続口を施工部材の各接続部材に相対向させた状態で全体を押し込んで内嵌させるという一動作で全ての接続作業が完了することになる。
【００１６】
【発明の効果】
以上、説明したように、請求項１又は請求項２の給湯ヘッダによれば、給湯ヘッダに接続される各種配管を住宅の基礎打ち段階に予め敷設しておき、それら各種配管の端部を上記各接続口に対応させて揃えておけば、屋根の設置後に給湯ヘッダを設置する場合であっても、同じ方向に向いたそれぞれの接続口に対し上記供給配管や給湯用配管等の各種配管を相対向させて同じ向きに差し込む等の容易な作業で接続作業を行うことができる。このため、たとえ狭い空間であっても、予め敷設された各種配管に対し給湯ヘッダを確実に後付けすることができる。従って、コントローラ等の電気制御機器を内蔵した給湯ヘッダであっても、その電気制御機器を雨濡れ等から確実に保護しつつ容易に設置することができるようになる。なお、上記の各種配管の端部を給湯ヘッダの各接続口に相対向する位置に設置しておけば、１回の押し込み又は差し込み作業で全ての接続口に対する接続作業を完了させることもできるようになる。特に請求項２によれば、全ての接続口が横並びに位置付けられるため、床下空間のように狭い空間においても、より一層容易に接続作業を行うことができるようになる。
【００１７】
請求項３又は請求項４の給湯ヘッダ用施工部材によれば、全ての接続部材が配設された施工部材を住宅等の基礎打ち段階に予め設置しておけば、屋根設置後の段階において上記給湯ヘッダを後付けする場合であっても、給湯ヘッダの各接続口を施工部材の各接続部材に相対向させて両者を接続するだけという容易な作業で給湯ヘッダを設置することができる。これにより、上記給湯ヘッダの各接続口に各種配管を接続するのに適した施工部材を提供することができる。特に請求項４によれば、給湯ヘッダの設置の際に、給湯ヘッダ側の各接続口と、施工部材側の接続部材との位置関係にずれが生じていたとしても、接続部材側が相対変位可能であるため、上記接続口との位置調整を容易に行うことができ、より容易に接続作業を行うことができ、給湯ヘッダをより確実に設置することができる。
【００１８】
請求項５の給湯ヘッダシステムによれば、住宅等の基礎打ち段階において施工部材を設置したとしても、湯供給用及び水供給用の両配管の下流端に温水コンセントが結合されているため、上記湯供給用及び水供給用の両配管の上流側が例えば水道管等の上水道に接続されていたとしても特別の対策を施さなくても後の給湯ヘッダ側の温水プラグとの接続まで閉栓状態に保持することができる。しかも、後の段階で給湯ヘッダを設置する際には、給湯ヘッダ側の接続口である温水プラグを上記温水コンセントに内嵌させるだけという極めて容易な作業により接続作業を完了させることができ、両者を通水可能にすることができる。なお、全ての接続口を温水プラグにより構成し、全ての接続部材を温水コンセントにより構成することにより、給湯ヘッダの各接続口を施工部材の各接続部材に相対向させた状態で全体を押し込んで内嵌させるという一動作で全ての接続作業を完了させることができる。以上により、給湯ヘッダがコントローラ等の電気制御機器を内蔵したものであっても、その電気制御機器の雨濡れからの保護と、設置の容易さとの両立を図ることができる。加えて、以上の設置段階での効果のみならず、請求項５によれば、給湯ヘッダの使用段階でのメンテナンス時に給湯ヘッダを各種配管から外して取り出したとしても、各接続部材を構成する温水コンセントが自動的に閉止状態に復帰するため、湯や水の供給源側での閉栓操作等を不要にすることができる。つまり、供給源側等での閉栓操作をすることなく、給湯ヘッダの取り外しや再度の設置を行うことができる。
【００１９】
【発明の実施の形態】
以下、本発明の実施形態を図面に基づいて説明する。
【００２０】
図１は、本発明の給湯ヘッダを用いた給湯システムの例を示す。この給湯システムは、共通の熱源機２により加熱された湯を、給湯ヘッダ３を経由させることにより２以上（図例では第１〜第４の４箇所）の給湯先７〜１０に対し給湯先毎に異なる設定給湯温度で分配して分岐給湯し得るようにしたものである。なお、図１は配管等の接続関係のみを示すものである。
【００２１】
上記熱源機２は水道管等の給水元管２１からの水の給水を受けて燃焼バーナ及び熱交換器等からなる加熱手段２２により所定の高温度（例えば６０〜７５℃）まで加熱し、加熱した湯を湯供給用配管２３を通して上記給湯ヘッダ３に供給するようになっている。なお、上記加熱手段２２の加熱作動は内蔵された熱源機側コントローラ２４により制御されるようになっている。
【００２２】
上記給湯ヘッダ３は入湯路３１と、入水路３２と、上記給湯先７〜１０に対応する第１〜第４の混合弁３３〜３６と、上記給湯先７〜１０に個別に給湯するための第１〜第４の出湯路３７〜４０と、上記各混合弁３３〜３６による湯と水との混合比を制御するコントローラ６とを含む各種機器がハウジング４１内に内蔵されたものである。
【００２３】
上記入湯路３１は、その上流端（後述の入湯用接続口３１１）が上記熱源機２からの湯供給用配管２３の下流端（後述の接続部材２３１）に接続され、下流側がそれぞれ分岐して上記各混合弁３３〜３６に対し個別に湯を供給するように接続されている。そして、上記入湯路３１には、万一の断水発生時等における逆流を防止するための逆止弁４２ａと、入湯温度を検出する入湯温度センサ４３とが介装されている。
【００２４】
上記入水路３２は、その上流端（後述の入水用接続口３２１）が上記給水元管２１から分岐した水供給用配管２５の下流端（後述の接続部材２５１）に接続され、下流側がそれぞれ分岐して上記各混合弁３３〜３６に対し個別に水を供給するように接続されると共に、洗濯機，トイレット及び庭先等の各給水先（各給水カラン）１１〜１３に水のみを供給する給水路４４とされている。そして、上記入水路３２には逆流を防止するための逆止弁４２ｂと、入水温度を検出する入水温度センサ４５とが介装され、上記給水路４４には上記各給水先１１〜１３への給水流量を検出する給水流量センサ４６が介装されている。
【００２５】
上記各出湯路３７〜４０は対応する混合弁３３〜３６で混合された後の湯が出湯されるようになっており、各出湯路３７〜４０にはそれぞれ給湯温度を検出する第１〜第４の温度センサ４７，５０，５３，５６と、第１〜第４の過流出防止弁４８，５１，５４，５７と、給湯流量を検出する第１〜第４の流量センサ４９，５２，５５，５８とがそれぞれ介装されている。なお、上記各過流出防止弁４８，５１，５４，５７は熱源機２での加熱能力との関係で最大流量を所定値に規制するためのものであり、各流量センサ４９，５２，５５，５８からの検出流量に基づいてコントローラ６により制御されるようになっている。
【００２６】
そして、上記第１出湯路３７の下流端（後述の出湯用接続口３７１）に対し第１給湯先である浴槽（浴槽カラン）７への第１給湯用配管７１の上流端（後述の接続部材７１１）が接続され、第２出湯路３８の下流端（後述の出湯用接続口３８１）に対し第２給湯先であるシャワー（シャワーカラン）８への第２給湯用配管８１の上流端（後述の接続部材８１１）が接続され、第３出湯路３９の下流端（後述の出湯用接続口３９１）に対し第３給湯先である洗面台（洗面カラン）９への第３給湯用配管９１の上流端（後述の接続部材９１１）が接続され、第４出湯路４０の下流端（後述の接続口４０１）に対し第４給湯先である台所（台所カラン）１０への第４給湯用配管１０１の上流端（後述の接続部材１００）が接続されている。また、上記給水路４４の下流端（後述の給水用接続口４４１）に対し各給水先１１〜１３への給水用配管１１１の上流端（後述の接続部材１１０）が接続されている。
【００２７】
また、上記各給湯先７〜１０にはそれぞれリモコン７２，９２，１０２が設置され、この各リモコン７２，９２，１０２にユーザが入力設定した設定給湯温度等の情報を上記コントローラ６に出力するようになっている。なお、本来は給湯先毎にリモコンが設置されるが、図例の給湯システムでは第１給湯先が浴槽７であり、第２給湯先がシャワー８であるため、両給湯先７，８でのリモコンが１つの風呂リモコン７２により兼用されている。
【００２８】
図２及び図３は以上の給湯ヘッダ３と、各種配管（入湯用の湯供給用配管２３、入水用の水供給用配管２５、４つの給湯用配管７１，８１，９１，１０１及び給水用配管１１１）との具体的な接続部位の状況を示している。同図において、符号Ｂは住宅等の基礎コンクリート（図５も併せて参照）、符号１４は床下空間Ｃの地面上に捨てコンクリート等を敷き均して形成したベース部、符号１５，１６は上記ベース部１４に固定された台座、符号１７は台座１５，１５上に固定された施工部材である。
【００２９】
給湯ヘッダ３のハウジング４１の一つの側壁４１１には、温水プラグにより構成された接続口３１１，３２１，３７１，３８１，３９１，４０１，４４１が一直線上に等間隔のピッチ毎に並ぶ各位置からそれぞれ外向きにかつ互いに平行に突出した状態で固定されている。上記接続口３１１は入湯路３１（図３参照）の上流端に、上記接続口３２１は入水路３２の上流端に、上記接続口３７１は第１出湯路３７の下流端に、上記接続口３８１は第２出湯路３８の下流端に、上記接続口３９１は第３出湯路３９の下流端に、上記接続口４０１は第４出湯路４０の下流端に、上記接続口４４１は給水路４４の下流端にそれぞれ結合されている。
【００３０】
上記施工部材１７は断面形状がＬの字状のアングル材を用いたものであり、その水平方向に延びる縦向き片１７１には上記接続口３１１，３２１，３７１，３８１，３９１，４０１，４４１と同数の７つの取付孔１７２，１７２，…（図４参照）が上記各接続口３１１，３２１，…と同じ配置で貫通して形成されている。これらの７つの取付孔１７２，１７２，…には、温水コンセントにより構成された接続部材２５１，２３１，７１１，８１１，９１１，１００，１１０が個別に挿通されて各先端開口を一側方に向けてかつ互いに平行に取り付けられている。上記各取付孔１７２は横に長い長円形とされ、上記各接続部材２５１，２３１，…の取付固定位置を隣接する他の接続部材に対し相対変位可能とされている。つまり、上記各接続部材２５１，２３１，…の取付ピッチを多少変更し得るようになっている。
【００３１】
そして、水供給用配管２５の下流端が上記接続部材２５１に、湯供給用配管２３の下流端が上記接続部材２３１に、第１給湯用配管７１の上流端が上記接続部材７１１に、第２給湯用配管８１の上流端が上記接続部材８１１に、第３給湯用配管９１の上流端が上記接続部材９１１に、第４給湯用配管１０１の上流端が上記接続部材１００に、給水用配管１１１の上流端が上記接続部材１１０にそれぞれ結合されている。
【００３２】
上記接続部材２５１，２３１，７１１，８１１，９１１，１００，１１０を構成する温水コンセントは内部に逆止弁を備え、常時は先端開口を閉止状態に維持する一方、上記各接続口３２１，３１１，３７１，３８１，３９１，４０１，４４１を構成する温水プラグが内嵌されることにより上記逆止弁が押し開かれて互いに連通接続させるようになっている。すなわち、上記温水コンセントと温水プラグとは互いに着脱可能に構成され、かつ、内嵌操作により温水プラグが温水コンセントに装着されると両者を連通接続させた状態で互いに係止させる一方、上記温水プラグを抜くと上記逆止弁が温水コンセントの先端開口を閉止状態に自動復帰させるようになっている。
【００３３】
なお、上記給湯ヘッダ３側の各接続口３２１，３１１，…は必ずしも等間隔に配置する必要はない。すなわち、各接続口３２１，３１１，…が等間隔配置であれば、施工部材１７側の各接続部材２５１，２３１，…も等間隔に配置すればよく、また、上記各接続口３２１，３１１，…が所定の間隔毎に配置されていれば、施工部材１７側の各接続部材２５１，２３１，…も上記各接続口３２１，３１１，…と同様配置にすればよいのである。
【００３４】
以上の構成の場合、住宅建設途上で床下空間が未だオープンスペースの状態にある基礎打ち段階で各種配管２５，２３，７１，８１，９１，１０１，１１１を床下に先行して敷設する敷設作業が行われ、雨がかからない状態となる屋根が設置された後の段階で給湯ヘッダ３を上記各種配管２５，２３，…と接続して設置する給湯ヘッダ３の設置作業が行われる。すなわち、上記敷設作業では、上記ベース部１４及び各台座１５，１６を床下の所定位置に設置し、この台座１５，１５に対し必要数の接続部材２５１，２３１，７１１，８１１，９１１，１００，１１０が予め取り付けられた施工部材１７を固定する。そして、上記各種配管２５，２３，…を床下に敷設してその下流端又は上流端を対応する接続部材２５１，２３１，…に結合させる。以上で敷設作業が終了するが、この状態では各接続部材２５１，２３１，…の先端開口は上記の逆止弁により閉止状態に維持される。
【００３５】
そして、上記給湯ヘッダ３の設置作業では、側壁４１１から突出した各接続口３２１，３１１，…を施工部材１７の各接続部材２５１，２３１，…の先端開口と相対向させた状態で、給湯ヘッダ３を施工部材１７側に押し込むことにより上記各接続口３２１，３１１，…を対応する各接続部材２５１，２３１，…の先端開口に内嵌させる。この押し込み動作により接続口３１，３１１，…と、接続部材２５１，２３１，…との全ての接続作業が完了する。この際、接続口３１，３１１，…の配置間隔と、接続部材２５１，２３１，…の配置間隔とを予めチェックし、合致しない場合には合致しない接続部材の取付位置を変更して合致するようにしておく。最後に給湯ヘッダ３を台座１６，１６に対し適宜のブラケット等により固定する。
【００３６】
以上によれば、給湯ヘッダ３の設置作業がたとえ上棟後（屋根設置後）で床張りを終えた段階に行われるとしても、ごく一部の床を剥がしてあるいは一部の床張りを残した状態の狭い開口部分からでも給湯ヘッダ３を床下に下ろして施工部材１７の各接続部材２５１，２３１，…に対し容易に接続作業及び固定作業を行うことができる。このため、給湯ヘッダ３がコントローラ６等の電気制御機器を内蔵して雨に濡らしてはならないものであっても、各種配管２５，２３，…を敷設作業のやり易い基礎打ち段階で先行して敷設することができ、かつ、給湯ヘッダ３を雨がかからなくなる屋根設置後の段階に容易に設置することができるようになる。これにより、コントローラ６等の電気制御機器を内蔵した場合の給湯ヘッダ３をその性能品質を確実に保証した状態で住宅等に容易に設置することができるようになる。
【００３７】
＜他の実施形態＞
なお、本発明は上記実施形態に限定されるものではなく、その他種々の実施形態を包含するものである。すなわち、上記実施形態では、給湯ヘッダ３の各接続口３２１，３１１，…と、施工部材１７の各接続部材２５１，２３１，…とを水平方向に相対向させて接続する場合を示しているが、上下方向に接続するようにしてもよい。この場合には、上記各接続部材２５１，２３１，…が上向きになるように施工部材１７を台座１５，１５等に設置しておき、給湯ヘッダ３を各接続口３２１，３１１，…が下向きになるようにした状態で下方の各接続部材２５１，２３１，…に対し押し込んで接続させるようにすればよい。
【００３８】
上記実施形態では、４つの混合弁３３〜３６で４つの給湯先７〜１０に給湯し、加えて１つの給水路４４を有する場合として合計７つの接続口３２１，３１１，…を設けた給湯ヘッダ３と、７つの接続部材２５１，２３１，…を設けた施工部材１７とを示したが、これに限らず、上記の接続口及び接続部材としては２以上の任意の数を採用することができる。
【００３９】
また、上記実施形態では施工部材１７に取り付けられる全ての接続部材２５１，２３１，…を温水コンセントにより構成しているが、これに限らず、水供給用配管２５と、湯供給用配管２３との少なくとも２つの下流端に結合する接続部材を温水コンセントで構成すればよく、他の給湯用配管７１等の上流端は自動閉止機能のないもので構成してもよい。水供給用配管２５等の上流端からの水道水等を閉止することができる一方、給湯用配管７１等はその下流端のカランを閉止しておけば済むからである。
【００４０】
さらに、施工部材１７及び給湯ヘッダ３を固定するためのベース部１４、台座１５，１６等はそれぞれ例示であり、施工部材１７及び給湯ヘッダ３を設置できるものであれば、いずれの形態のものを採用してもよい。
【図面の簡単な説明】
【図１】本発明が対象とする給湯ヘッダを用いた給湯システムの例を示す模式図である。
【図２】本発明の実施形態の給湯ヘッダと、給湯ヘッダ用施工部材を示す分解斜視図である。
【図３】図２の給湯ヘッダと、給湯ヘッダ用施工部材との接続過程の状態を示す一部を切欠いて一部を省略した平面図である。
【図４】図２及び図３で示した施工部材の斜視図である。
【図５】一般住宅を例にした敷設及び設置手順を説明するための説明図である。
【符号の説明】
３　　　　　　給湯ヘッダ
７〜１０　　　給湯先
１７　　　　　施工部材
２３　　　　　湯供給用配管
２５　　　　　水供給用配管
３３〜３６　　混合弁
７１，８１，９１，１０１　　給湯用配管
２３１，２５１，７１１，８１１，９１１，１００，１１０　　接続部材
３１１　　　　入湯用接続口
３２１　　　　入水用接続口
３７１，３８１，３９１，４０１　　出湯用接続口
４４１　　　　接続口
【図１】
2004061020.tif 000003
【図２】
2004061020.tif 000004
【図３】
2004061020.tif 000005
【図４】
2004061020.tif 000006
【図５】
2004061020.tif 000007